(57)【特許請求の範囲】
【請求項１】
三脚の雲台固定部（Ｔ）と雲台（Ｕ）との間に着脱可能に取り付けられる基台（２）と、この基台（２）に対し着脱可能とされたアーム（４）と、前記基台（２）に対し前記アーム４を固定するアーム固定機構（４２，４４）と、前記基台（２）に対し前記アーム（４）を介して連結されたシャフト固定部（１０）と、このシャフト固定部（１０）にシャフト（Ｓ）を固定するための締結手段（１２）とを具備し、
前記基台（２）は、前記雲台固定部（Ｔ）および前記雲台（Ｕ）に固定可能な固定部（２０，２２，２６）と、この固定部（２０，２２，２６）に対して水平旋回可能に取り付けられた旋回部（２４）と、前記固定部（２０，２２，２６）と前記旋回部（２４）とを相互に固定および解放するための旋回部締結手段（３８）とを具備し、
前記旋回部（２４）には、前記アーム（４）の基端部が引き抜き可能に挿入されるアーム挿入口（４０）が形成され、前記アーム固定機構（４２，４４）は前記アーム挿入口（４０）に挿入された前記アーム（４）の前記基端部を前記旋回部（２４）に対して解除可能に固定するものであり、
前記アーム固定機構（４２，４４）による前記アーム（４）の固定および解除は、前記締結手段（１２）による前記シャフト（Ｓ）の固定および解除、並びに、前記基台（２）と前記雲台固定部（Ｔ）との固定および解除からは、独立して操作可能であることを特徴とする三脚への傘等固定装置。
【請求項２】
前記シャフト固定部（１０）にはシャフト溝（６８）が形成され、前記締結手段（１２）は、回転されると前記シャフト固定部（１０）に接近離間するネジ（５８，６０）と、このネジ（５８，６０）に対し空転可能に取り付けられ、前記ネジ（５８，６０）が前記シャフト固定部（１０）に近づくと前記シャフト挿入溝（６８）に挿入されたシャフト（Ｓ）を前記シャフト挿入溝（６８）へ押圧する押圧部材（６２）とを具備することを特徴とする請求項１記載の三脚への傘等固定装置。
【発明の詳細な説明】
【０００１】
【発明の属する技術分野】
本発明は、傘などのシャフトを三脚に固定するための傘等固定装置に関するものである。
【０００２】
【従来の技術】
例えば、雨が降っている中で三脚に各種カメラを固定して写真や動画を撮影しなければならない場合がある。このような場合、従来では、撮影者が片手でカメラを操作しながら、もう一方の手で傘を持って撮影を行う必要があり、傘を持つ動作に気を取られて撮影に専念できなかったり、不注意でカメラを濡らしてしまうなどのおそれがあった。
【０００３】
また、ストロボなどの光を柔らかく反射させるための照明光反射傘を使用する場合には、反射傘用に別の三脚を使用したりしなければならず、携行品の重量を減らしたい野外撮影では、反射傘を使用することは難しかった。
【０００４】
そこで、カメラと雲台との間に傘のシャフトを固定する締結部を設けることも試みられたが、その場合、雲台を操作してカメラの向きを変えようとすると、傘もカメラと一緒に動かすことになり、カメラ操作がスムーズに行えないだけでなく、風向きによってはカメラが雨に濡れてしまい、撮影に不便を感じることが多かった。また、カメラを横向きにすると傘も横向きになってしまうため、カメラを横向きにできないという問題も有していた。
【０００５】
【発明が解決しようとする課題】
本発明は、上記事情に鑑みてなされたものであり、各種傘などをカメラおよび雲台の操作の影響を受けない、独立した状態で三脚に固定することができ、カメラの操作性を阻害することが少ない傘等固定装置を提供することを課題としている。
【０００６】
【課題を解決するための手段】
上記課題を解決するため、本発明に係る三脚への傘等固定装置は、三脚の雲台固定部（Ｔ）と雲台（Ｕ）との間に着脱可能に取り付けられる基台（２）と、この基台（２）に対し着脱可能とされたアーム（４）と、前記基台（２）に対し前記アーム４を固定するアーム固定機構（４２，４４）と、前記基台（２）に対し前記アーム（４）を介して連結されたシャフト固定部（１０）と、このシャフト固定部（１０）にシャフト（Ｓ）を固定するための締結手段（１２）とを具備し、
前記基台（２）は、前記雲台固定部（Ｔ）および前記雲台（Ｕ）に固定可能な固定部（２０，２２，２６）と、この固定部（２０，２２，２６）に対して水平旋回可能に取り付けられた旋回部（２４）と、前記固定部（２０，２２，２６）と前記旋回部（２４）とを相互に固定および解放するための旋回部締結手段（３８）とを具備し、
前記旋回部（２４）には、前記アーム（４）の基端部が引き抜き可能に挿入されるアーム挿入口（４０）が形成され、前記アーム固定機構（４２，４４）は前記アーム挿入口（４０）に挿入された前記アーム（４）の前記基端部を前記旋回部（２４）に対して解除可能に固定するものであり、
前記アーム固定機構（４２，４４）による前記アーム（４）の固定および解除は、前記締結手段（１２）による前記シャフト（Ｓ）の固定および解除、並びに、前記基台（２）と前記雲台固定部（Ｔ）との固定および解除からは、独立して操作可能であることを特徴としている。
【０００７】
なお、前記シャフト固定部（１０）にはシャフト溝（６８）が形成され、前記締結手段（１２）は、回転されると前記シャフト固定部（１０）に接近離間するネジ（５８，６０）と、このネジ（５８，６０）に対し空転可能に取り付けられ、前記ネジ（５８，６０）が前記シャフト固定部（１０）に近づくと前記シャフト挿入溝（６８）に挿入されたシャフト（Ｓ）を前記シャフト挿入溝（６８）へ押圧する押圧部材（６２）とを具備していてもよい。
【０００９】
【発明の実施の形態】
図１および図２は、本発明に係る三脚への傘等固定装置の一実施形態を示す正面図および平面図である。この固定装置１は、例えば図６に示すような形態で使用されるものであり、三脚の雲台固定部Ｔと雲台Ｕとの間に介装される薄い板状の雲台側ベース２（基台）と、この雲台側ベース２に対し水平方向伸縮可能に取り付けられた一対のアーム４と、これらアーム４の他端に固定されたアームプレート６と、このアームプレート６の上面に水平旋回可能に取り付けられたアングル８と、このアングル８に対して垂直旋回可能に取り付けられたホルダープレート１０（シャフト固定部）と、このホルダープレート１０との間に傘ＫのシャフトＳを着脱可能に固定するシャフト締結部１２（締結手段）とを具備している。
以下、各部を詳細に説明する。
【００１０】
雲台側ベース２は、図４に示すように、それぞれ円板形でかつ外径が等しいベース下板２０、回転プレート２４、およびベース上板２２を有し、これらの中央を貫通するように、軸ネジ２６が取り付けられている。この軸ネジ２６の上端には、雲台Ｕの下面に形成されている雌ネジ孔に螺合可能な雲台取付ネジ３０が形成される一方、軸ネジ２６の下端には、三脚の雲台固定部Ｔの雲台取付ネジ（図示略）に螺合する三脚取付ネジ穴２８が形成され、雲台取付ネジ３０と三脚取付ネジ穴２８は同一線上に位置している。ベース下板２０は軸ネジ２６の下端部に固定され、ベース上板２２は軸ネジ２６の上端部に固定され、これによりベース下板２０、ベース上板２２、および軸ネジ２６は相対回転しないように一体的に固定された固定部を構成している。一方、ベース下板２０とベース上板２２との間では、軸ネジ２６の外周に円環状のスリーブ３２が固定され、さらにこのスリーブ３２の外周に、旋回部として回転プレート２４が回転可能に取り付けられている。
【００１１】
回転プレート２４の内部には、その半径方向に沿って外周面から内周面に達するネジ穴３４が形成され、このネジ穴３４には回転止めネジ３８のシャフト３６が螺合されている。回転止めネジ３８を締め込むと、シャフト３６の先端がスリーブ３２を圧迫し、回転プレート２４の回転を止め、回転止めネジ３８を緩めると回転プレート２４が回転できるようになっている。
【００１２】
回転プレート２４にはまた、図３に示すように、ネジ穴３４と平行かつネジ穴３４の両側にそれぞれアーム挿入孔４０が形成され、これらアーム挿入孔４０にそれぞれアーム４が挿入されている。この実施形態では、アーム挿入孔４０およびアーム４の断面形状は円形であるが、必要であれば、矩形状等に変更してもよい。回転プレート２４にはまた、ネジ穴３４に対して直交するように第２のネジ穴４２が形成されている。このネジ穴４２は回転プレート２４の外周面からアーム挿入孔４０に達するものであり、アーム固定ネジ４４が螺合されている。よって、アーム固定ネジ４４を締め込むとその先端がアーム４を圧迫してアーム４が雲台側ベース２に対して固定され、アーム固定ネジ４４を緩めるとアーム４がアーム挿入孔４０に沿って伸縮可能になる。
【００１３】
アーム４の先端には、図３に示すように、水平なアームプレート６が固定されている。このアームプレート６の中心には孔４６が形成され、図１に示すように、アームプレート６の下方から、旋回止めネジ４８のネジ部が挿入され、このネジ部はアームプレート６上に配置されたアングル８のネジ穴９（図２参照）に螺合している。したがって、旋回止めネジ４８を締めるとアームプレート６とアングル８が相対的に固定され、旋回止めネジ４８を緩めるとアングル８が自由に水平旋回するようになっている。
【００１４】
アングル８はＬ字状の部品であり、その直立部分には、孔（図示略）が形成されている。アングル８の直立部分に対向してホルダープレート１０の下部が平行に配置され、ホルダープレート１０の下部とアングル８の直立部分との間には、薄いコルク等の弾性材料からなる滑り止めシート５４が配置されている。そして、傾斜調整ネジ５２のネジ部がアングル８の孔を貫通して、ホルダープレート１０の下部に形成されている雌ネジ穴に螺合されている。これにより、傾斜調整ネジ５２を締めるとアングル８とホルダープレート１０が固定され、傾斜調整ネジ５２を緩めると、ホルダープレート１０が傾斜調整ネジ５２を中心として自由に垂直面内で旋回できるようになっている。
【００１５】
ホルダープレート１０には、アングル８の上端よりも上方位置において、軸ネジ５６が水平に固定され、アングル８と反対側に延びている。この軸ネジ５６には、図５に示すように、案内ネジ５８の雌ネジが螺合されており、この案内ネジ５８の外周には、つまみ部６０、押圧部材としての回転プレート６２、ナット６４が取り付けられている。このうち、つまみ部６０とナット６４は案内ネジ５８に対して回転不能に固定されており、回転プレート６２は案内ネジ５８に対して回転可能とされているが、つまみ部６０およびナット６４に挟まれて、軸方向に対しては移動不能とされている。なお、つまみ部６０の外径は回転プレート６２よりも大きく、回転プレート６２の前面側はつまみ部６０の内側に形成された凹部に部分的に収容され、回転プレート６２の後面側は、つまみ部６０から一定厚さだけ突出している。この突出量は、回転プレート６２がシャフトＳを締め付けたときの回転プレート６２の弾性変形量よりも大きくされている。
【００１６】
回転プレート６２と対向する側の、ホルダープレート１０の表面には、ホルダープレート１０の長手方向に延びる２本のシャフト溝６８が軸ネジ５６の左右両側に形成されている。シャフト溝６８は傘等のシャフトを収容して固定するものであり、断面が円弧状になっている。シャフト溝６８の断面の形状は固定すべきシャフトＳの断面形状に合わせて設定されるべきである。例えば、傘を固定する場合には、一般的な傘のシャフト外径が７〜１４ｍｍ程度であるから、断面の曲率直径は１４ｍｍ程度であることが望ましい。あまり大きすぎるとシャフトＳがぐらつくことになるし、あまり小さすぎるとシャフト溝６８のエッジでシャフトＳに傷がつくおそれがある。ただし、この範囲に限定されないのは勿論である。ホルダープレート１０のシャフト溝６８形成面を、ホルダープレート１０とは別の板材で着脱可能に構成し、この板材にシャフト溝６８を形成してもよい。この場合には、シャフトＳに合わせて、この板材を交換することにより、シャフト溝６８の形状を変更することが可能になる。また、２本のシャフト溝６８の形状を互いに異ならせ、例えば一方は幅広に、他方は狭くしてもよい。
【００１７】
回転プレート６２の材質は限定されないが、シャフトＳへ傷を付けにくく、ある程度の弾性を有し、つまみ部６０との摩擦係数が小さいプラスチック等の材質が好ましい。必要であれば、回転プレート６２を２層構造とし、シャフトＳとの当接面はシャフトＳに対する摩擦係数が大きい材質で形成し、つまみ部６０との当接面はつまみ部６０との摩擦係数が小さい材質で形成してもよい。これら２層は互いに接合されていても、接合されていなくてもよい。
【００１８】
上記構成からなる傘等固定装置を使用するには、図６に示すように、三脚の雲台固定部Ｔの雲台固定ネジを、雲台側ベース２の三脚取付ネジ穴２８に締め込む。次に、雲台Ｕの下面にある三脚固定ネジ穴に、雲台側ベース２の雲台取付ネジ３０を締め込む。さらに、シャフト締結部１２のつまみ部６０を回転して、ホルダープレート１０とシャフト締結部１２との間隔を大きくし、ホルダープレート１０の２本あるシャフト溝６８のいずれかに、傘ＫのシャフトＳを填め、つまみ部６０を回転して回転プレート６２でシャフトＳを圧迫してシャフト溝６８内に固定する。つまみ部６０を回転してシャフトＳを圧迫していくとき、回転プレート６２がシャフトＳとの摩擦抵抗により、つまみ部６０との間で空転し、回転プレート６２とシャフトＳはこすれ合うことがないから、シャフトＳには傷が付かないうえ、つまみ部６０の回転につれシャフトＳがずれることが無く、固定作業が円滑に行える。
【００１９】
この状態で、回転止めネジ３８を緩めることにより、雲台Ｕと雲台固定部Ｔとの相対位置には全く影響を及ぼすことなく、雲台側ベース２の回転プレート２４のみを水平旋回することが可能となり、傘ＫをカメラＣを中心として旋回することができる。
また、アーム固定ネジ４４を緩めることにより、アーム４の長さを調整することができ、カメラＣから傘Ｋまでの距離が変更できる。
また、旋回止めネジ４８を緩めることにより、アームプレート６に対してアングル８が水平旋回できるから、アームプレート６を中心として傘Ｋを旋回することができる。
さらに、傾斜調整ネジ５２を緩めることにより、アングル８に対してホルダープレート１０が垂直面内で旋回することができるから、傘Ｋの傾斜角度を変更することができる。
このように、互いに独立した４通りの位置調整機構を有するため、傘ＫとカメラＣとの相対位置を自由に設定することができる。
【００２０】
上記の傘等固定装置によれば、雲台Ｕと三脚の雲台固定部Ｔとの間に薄い雲台側ベース２を介装するだけで取り付けることができ、しかも、三脚取付ネジ穴２８と雲台取付ネジ３０とが同一線上に形成されているから、三脚に対する雲台ＵおよびカメラＣの同軸性を損なわず、雲台ＵおよびカメラＣの操作性がよい。しかも雲台ＵおよびカメラＣを動かした場合にも傘Ｋは動かないため、カメラが雨で濡れるなどのおそれが低減できるうえ、いちいち傘Ｋの位置を調整し直す手間も省ける。また、カメラＣを横向きにした場合にも、傘Ｋが倒れることがないため、横向きの写真も撮影しやすい。
【００２１】
さらに、この傘等固定装置では、アーム固定ネジ４４を予め緩めておくことにより、カメラＣのシャッターを切る直前に、アーム４を雲台側ベース２からさっと引き抜き、撮影者が傘Ｋを支えたまま、シャッターを切ることができる。これにより、傘Ｋが風を受けているときにも、カメラＣに振動が伝わることを防止でき、撮影のぶれを防げる。
【００２２】
アーム固定ネジ４４を緩めておいたとしても、回転プレート２４のアーム挿入孔４０とアーム４との係合長さが大きく、しかもアーム４は２本あるから、傘Ｋが多少の風に吹かれたくらいでは、アーム４がずれることはない。また、２本のアーム４は若干のしなりをもって傘Ｋの受ける風圧を緩衝するから、アーム４を雲台側ベース２から外さない場合にも、カメラＣに伝わる振動を抑制する効果も得られる。
【００２３】
なお、上記実施形態では２本のアーム４を使用していたが、本発明では、アームが１本であってもよいし、３本以上であってもよい。アームが１本の場合には、回転を防止するためにアームの断面形状を矩形状などの異形状にしてもよい。
【００２４】
また、上記実施形態ではアーム固定ネジ４４によりアーム４の移動を止めていたが、コレットチャック機構など他のアーム固定機構を雲台側ベース２内に設け、アーム４を固定してもよい。
【００２５】
さらに、上記実施形態ではアームプレート６とアングル８との間に旋回止めネジ４８を具備する旋回機構を設けていたが、アーム４とアングル８とを直結することも可能である。また、本装置を三脚に組み込み、傘等固定装置を内蔵した三脚としてもよい。
【００２６】
【発明の効果】
以上説明したように、本発明に係る三脚への傘等固定装置によれば、三脚の雲台固定部と雲台との間に基台を介装するだけで取り付けることができ、しかも、雲台およびカメラと三脚との相対位置をあまり変更させずに済むため、カメラの操作性を高めることが可能である。また、カメラを動かした場合にも、傘等の位置には影響が及ばないため、カメラが雨に濡れるなどのおそれがなく、傘等の位置の再調整も不要であるし、カメラを横向きにして撮影することもできる。
また、前記基台は、雲台固定部および雲台に固定される固定部と、この固定部に対して水平旋回可能に取り付けられた旋回部とを具備し、旋回部にはアーム挿入口が形成され、アーム挿入口に挿入されたアームをアーム固定機構で固定する構造とし、これにより、アーム固定機構によるアームの固定および解除が、締結手段によるシャフトの固定および解除、並びに、基台と雲台固定部との固定および解除からは、独立して操作できるようにしているから、前記固定部を雲台固定部並びに雲台に固定したまま、傘等の位置を雲台に対し自由な方向へ設定できるうえ、傘等のシャフトをシャフト固定部から外すという比較的手間のかかる操作を行わなくても、雲台に近い側でアーム固定機構を操作してアーム挿入孔からアームを引き抜くだけで、簡便かつ迅速な操作により、カメラ・三脚系とシャフト系とを力学的に絶縁できる。したがって、例えば、風が強い時には、旋回部を水平旋回させて傘等を適切な位置に動かしたうえ、アーム固定機構によるアームの固定を予め緩めておくことにより、カメラのシャッターを切る直前に、アームをアーム挿入孔から一時的に速やかに取り外し、撮影者が傘等を支えたままシャッターを切ることができ、シャッターを切った後には、アームをアーム挿入孔に差し込むだけで、再び速やかに傘等の固定が行える。これにより、傘等が風を受けてカメラに振動が伝わりブレが生じることや、シャッター操作中に風で三脚が転倒するなどの不具合を防止できるという優れた効果を奏する。
【００２７】
また、シャフト固定部にシャフト溝が形成され、締結手段が、回転されると前記シャフト固定部に接近離間するネジと、このネジに対し空転可能に取り付けられた押圧部材とを具備する場合には、押圧部材がシャフトとの摩擦抵抗により空転し、押圧部材とシャフトはこすれ合うことがないから、シャフトには傷が付かないうえ、ネジの回転につれシャフトがずれることが無く、固定作業が円滑に行える。
【図面の簡単な説明】
【図１】  本発明に係る三脚への傘等固定装置の一実施形態を示す正面図である。
【図２】  同実施形態の平面図である。
【図３】  同実施形態の横断面図である。
【図４】  同実施形態の基台の縦断面図である。
【図５】  同実施形態のシャフト締結手段の縦断面図である。
【図６】  同実施形態の使用態様を示す正面図である。
【符号の説明】
１  傘等固定装置
２  雲台側ベース（基台）
４  アーム
６  アームプレート
８  アングル
１０  ホルダープレート（シャフト固定部）
１２  シャフト締結部（締結手段）
２０  ベース下板（固定部）
２２  ベース上板（固定部）
２４  回転プレート（旋回部）
２６  軸ネジ（固定部）
２８  三脚取付ネジ穴
３０  雲台取付ネジ
３２  スリーブ
３４  ネジ穴
３８  回転止めネジ（締結手段）
４０  アーム挿入孔
４４  アーム固定ネジ
４８  旋回止めネジ
５２  傾斜調整ネジ
５６  軸ネジ
５８  案内ネジ
６０  つまみ部
６２  回転プレート
６８  シャフト溝
Ｔ  三脚の雲台固定部
Ｕ  雲台
Ｃ  カメラ
【図１】
0004560689.tif 000002
【図２】
0004560689.tif 000003
【図３】
0004560689.tif 000004
【図４】
0004560689.tif 000005
【図５】
0004560689.tif 000006
【図６】
0004560689.tif 000007